(57)【要約】鏡筒等に変形を生じさせずに確実に操作リングをロックでき、かつ操作リングのロック操作がしやすい監視カメラ用レンズ装置を提供する。ロックツマミ４６を回転してフォーカスリング１４に対してロックツマミ４６をねじ込むと、ロックツマミ４６と一体化されたブレーキ部材４０がフォーカスリング１４に対して近づく方向に移動し、ブレーキ部材４０の内周面全体がフォーカスリング１４に接触する。同時に、ブレーキリング４２がブレーキ部材４０と反対方向に移動し、ブレーキリング４２の内周がフォーカスリング１４に接触する。このようにフォーカスリング１４に対してロックツマミ４６をねじ込むと、ブレーキ部材４０及びブレーキリング４２が上下方向からフォーカスリング１４を挟み込むことで、フォーカスリング１４がロック（固定）される。
2013121832.tif 000002
【特許請求の範囲】
【請求項１】
鏡筒本体に移動可能に支持された移動レンズと、
前記鏡筒本体に対して回動自在に設けられ、回動操作により前記移動レンズを光軸方向に移動させる操作リングと、
前記操作リングの外周に設けられた略円筒形のリング部材と、
前記操作リングと前記リング部材との間に設けられた固定部材と、
前記リング部材と前記固定部材との間に設けられたロック操作部材であって、回転することにより前記リング部材と前記固定部材とを互いに反対方向に移動させるロック操作部材と、
前記リング部材及び前記ロック操作部材のうちの少なくとも一方を、前記移動レンズの光軸と直交する方向にのみ移動可能に支持する支持機構と、
を備え、
前記ロック操作部材を回転させることにより、前記リング部材と前記固定部材とを互いに反対方向に移動させて前記操作リングを回動不能に締め付ける監視カメラ用レンズ装置。
【請求項２】
前記固定部材は、前記操作リングと接する面が前記操作リングと略同一の曲率に湾曲した部材である請求項１に記載の監視カメラ用レンズ装置。
【請求項３】
前記固定部材には、前記操作リングに接する第１の凸部が、その先端が前記操作リングの外周面と略同一の曲率の線上に位置する大きさで形成される請求項１又は２に記載の監視カメラ用レンズ装置。
【請求項４】
前記第１の凸部は、略９０°おきに形成される請求項３に記載の監視カメラ用レンズ装置。
【請求項５】
前記リング部材には、前記第１の凸部と対向する位置に第２の凸部が形成された請求項３に記載の監視カメラ用レンズ装置。
【請求項６】
前記鏡筒本体には、前記移動レンズの光軸と直交する方向の孔が形成され、
前記ロック操作部材が前記孔に貫通されることで前記支持機構が構成される請求項１から５のいずれかに記載の監視カメラ用レンズ装置。
【請求項７】
前記鏡筒本体は、前記操作リングの内側に設けられる略円筒形の筒部と、前記リング部材の端面と当接するように形成されたフランジ部とを有し、
前記フランジ部及び前記リング部材の互いに当接する面には、前記移動レンズの光軸と直交する方向の凸部及び当該凸部と係合する溝が前記支持機構として形成される請求項１から５のいずれかに記載の監視カメラ用レンズ装置。
【発明の詳細な説明】
【技術分野】
【０００１】
本発明は監視カメラ用レンズ装置に係り、特にズーミングやフォーカシングを行うための操作リングにロック機構が備えられた監視カメラ用の監視カメラ用レンズ装置に関する。
【背景技術】
【０００２】
手動でズーミング、フォーカシングを行う監視カメラ用のレンズ装置（例えば、監視用バリフォーカルレンズ）には、設定したズーム位置とフォーカス位置とが動かないようにするために、ズームとフォーカスの操作リングにロック機構が設けられている。【０００３】
従来の操作リングのロック機構は、操作リングの外周部にネジ止めされたツマミを鏡筒本体に向けてねじ込むことにより、ツマミの先端部を鏡筒本体の外周面に押しつけて、操作リングをロックしていた。【０００４】
しかし、このように、ツマミの先端部を鏡筒本体の外周面に押しつけて操作リングをロックする方式では、円筒の一点に集中荷重を加えて圧迫しているため、鏡筒本体の剛性が低いと、鏡筒本体が撓み、片ボケ等光学性能に悪影響を及ぼすという欠点がある。【０００５】
そこで、特許文献１では、ツマミの先端部が押しつけられる位置にゴムバンドを入れるレンズ装置が提案されている。【０００６】
また、特許文献２では、ツマミを回動操作して、押え板を鏡筒本体に形成された溝の内壁に当接することで操作リングをロックするレンズ装置が提案されている。【０００７】
特許文献３では、略Ｃ字形状の留め輪を締めると、留め輪が弾性変形して操作リングを略全周から押圧してロックするレンズ装置が提案されている。
【先行技術文献】
【特許文献】
【０００８】
【特許文献１】特開２００６−２５１５８１号公報
【特許文献２】特開２０１１−１５４３０９号公報
【特許文献３】特開２０１１−１５４３０８号公報
【発明の概要】
【発明が解決しようとする課題】
【０００９】
しかしながら、特許文献１に記載の発明では、あくまでツマミを鏡筒に押しつけるため、鏡筒に1方向から力が加わり、鏡筒が内側に押し込まれるように変形することは避けられない。【００１０】
また、特許文献２に記載の発明では、鏡筒が内側に押し込まれるように変形することはないが、鏡筒に1方向から力が加わるため、光学系に偏芯や倒れが発生する虞がある。【００１１】
特許文献３に記載の発明は、鏡筒に1方向から力が加わることはない。しかしながら、特許文献３に記載の発明では、ツマミが鏡筒の接線方向に沿って配設されているため、操作リングのロック操作がやりづらいという問題がある。【００１２】
本発明は、このような事情に鑑みてなされたもので、鏡筒等に変形を生じさせずに確実に操作リングをロックでき、かつ操作リングのロック操作がしやすい監視カメラ用レンズ装置を提供することを目的とする。
【課題を解決するための手段】
【００１３】
前記目的を達成するために本発明の一の態様に係る監視カメラ用レンズ装置は、鏡筒本体に移動可能に支持された移動レンズと、鏡筒本体に対して回動自在に設けられ、回動操作により移動レンズを光軸方向に移動させる操作リングと、操作リングの外周に設けられた略円筒形のリング部材と、操作リングとリング部材との間に設けられた固定部材と、リング部材と固定部材との間に設けられたロック操作部材であって、回転することによりリング部材と固定部材とを互いに反対方向に移動させるロック操作部材と、リング部材及びロック操作部材のうちの少なくとも一方を、移動レンズの光軸と直交する方向にのみ移動可能に支持する支持機構と、を備え、ロック操作部材を回転させることにより、リング部材と固定部材とを互いに反対方向に移動させて操作リングを回動不能に締め付ける。【００１４】
本発明の一の態様に係る監視カメラ用レンズ装置によれば、操作リングが鏡筒本体に対して回動自在に設けられ、操作リングの回動操作により移動レンズが光軸方向に移動される。ロック操作部材を回転させると、操作リングの外周に設けられた略円筒形のリング部材と、操作リングとリング部材との間に設けられた固定部材とが互いに反対方向に移動され、操作リングが回動不能に締め付けられる。これにより、鏡筒等に変形を生じさせずに確実に操作リングをロックできる。また、ロック操作部材を回転させればよいため、操作リングのロック操作がしやすいという効果がある。【００１５】
本発明の他の態様に係る監視カメラ用レンズ装置において、固定部材は、操作リングと接する面が操作リングと略同一の曲率に湾曲した部材であってもよい。これにより、リング部材にかかる荷重をより分散させてリング部材の変形を防止することができる。【００１６】
本発明の他の態様に係る監視カメラ用レンズ装置において、固定部材には、操作リングに接する第１の凸部が、その先端が操作リングの外周面と略同一の曲率の線上に位置する大きさで形成されてもよい。これにより、凸部を介して操作リングに荷重を加えることができる。【００１７】
本発明の他の態様に係る監視カメラ用レンズ装置において、第１の凸部は、略９０°おきに形成されてもよい。これにより、操作リングに均等な間隔で力を付与することができる。【００１８】
本発明の他の態様に係る監視カメラ用レンズ装置において、リング部材には、第１の凸部と対向する位置に第２の凸部が形成されてもよい。これにより、凸部が当接する位置で荷重を加えることができる。【００１９】
本発明の他の態様に係る監視カメラ用レンズ装置において、鏡筒本体には、移動レンズの光軸と直行する方向の孔が形成され、ロック操作部材が孔に貫通されることで支持機構が構成されてもよい。これにより、簡単な構成でロック操作部材、リング部材及び固定部材の回転止めがなされる。【００２０】
本発明の他の態様に係る監視カメラ用レンズ装置において、鏡筒本体は、操作リングの内側に設けられる略円筒形の筒部と、リング部材の端面と当接するように形成されたフランジ部とを有し、フランジ部及びリング部材の互いに当接する面には、移動レンズの光軸と直交する方向の凸部及び当該凸部と係合する溝が支持機構として形成されてもよい。これにより、簡単な構成でロック操作部材、リング部材及び固定部材の回転止めがなされる。
【発明の効果】
【００２１】
本発明によれば、鏡筒等に変形を生じさせずに確実に操作リングをロックでき、かつ操作リングのロック操作がしやすい監視カメラ用レンズ装置を提供することができる。
【図面の簡単な説明】
【００２２】
【図１】本発明に係る監視カメラ用レンズ装置の一実施形態を示す斜視図
【図２】本発明に係る監視カメラ用レンズ装置の一実施形態を示す側面断面図
【図３】図２の要部拡大図
【図４】ロック機構を示す断面図
【図５】ブレーキリングを示す斜視図
【図６】ブレーキ部材を示す図
【図７】ブレーキ部材を示す断面図
【図８】第１鏡筒本体の要部斜視図
【図９】ロック機構を示す断面図
【図１０】ロックツマミの変形例を示す図
【図１１】監視カメラ用レンズ装置の一実施形態の変形例を示す側面要部断面図
【図１２】監視カメラ用レンズ装置の一実施形態の別の変形例を示す断面図
【発明を実施するための形態】
【００２３】
以下、添付図面に従って本発明に係る監視カメラ用レンズ装置の好ましい実施の形態について詳述する。
【００２４】
［全体構成］
図１、２は、それぞれ本発明に係る監視カメラ用レンズ装置の一実施形態を示す斜視図、側面断面図である。この監視カメラ用レンズ装置１０は、小型の監視カメラ（図示せず）に適用されるものである。監視カメラはドーム状の外観を有しており、基台、監視カメラ用レンズ装置１０が取り付けられる監視カメラ本体、監視カメラ本体及び監視カメラ用レンズ装置１０を覆い隠すためのカバーを備えている。監視カメラ用レンズ装置１０は、基台に対して角度を可変できるように取り付けられる。また、監視カメラ用レンズ装置１０は、基台に対して中心線を回転軸として回転することができる。
【００２５】
監視カメラ用レンズ装置１０は、ズーム機能とフォーカス機能とを備えたバリフォーカルレンズである。ズーミングは、鏡筒本体１２の外周部に設けられたズームリング１６を回動操作することにより行われ、フォーカシングは、鏡筒本体１２の外周部に設けられたフォーカスリング１４を回動操作することにより行われる。
【００２６】
このズーミングを行うためのズームリング１６（操作リング）と、フォーカシングを行うためのフォーカスリング１４には、それぞれロック機構が備えられており、任意の位置で固定できるように構成されている。この点については、後に詳述する。ズーミング及びフォーカシングは、監視カメラ用レンズ装置１０が基台に対して位置決めされた後で行われ、ズーミング及びフォーカシング終了後はカバーにより監視カメラ用レンズ装置１０が覆われる。
【００２７】
鏡筒本体１２（鏡筒本体）は、第１鏡筒本体１２−１と第２鏡筒本体１２−２とで構成されており、第１鏡筒本体１２−１を第２鏡筒本体１２−２の先端同軸上に連結することにより、１つの鏡筒本体１２が形成される。フォーカスリング１４は、第１鏡筒本体１２−１の外周部に回動自在に設けられており、ズームリング１６は、第２鏡筒本体１２−２の外周部に回動自在に設けられている。
【００２８】
フォーカスリング１４は、フォーカスリング１４と一体化されたフォーカスリング化粧部４４によって覆われ、ズームリング１６は、ズームリング化粧筒１８によって覆われる。
【００２９】
第２鏡筒本体１２−２の後端部には、マウント環２２が取り付けられており、監視カメラ用レンズ装置１０は、このマウント環２２を介して監視カメラ本体に取り付けられる。
【００３０】
鏡筒本体１２の内部には、光軸Ｌに沿って、前側から順にフォーカスレンズ２４、アイリスユニット２６、ズームレンズ２８が配置されている。
【００３１】
フォーカスレンズ２４（移動レンズ）は、フォーカスレンズ枠３０に保持されて、第１鏡筒本体１２−１内を光軸Ｌに沿って前後移動自在に設けられている。このフォーカスレンズ２４を保持するフォーカスレンズ枠３０には、外周面上に図示しない３本のカムピンが径方向に突出して設けられている。３本のカムピンは、同一円周上に等間隔に配置されており、それぞれ第１鏡筒本体１２−１の周面に光軸Ｌと平行に形成された図示しない３本のフォーカス用直進溝に嵌入されるとともに、フォーカスリング１４の内周部に形成された図示しない３本のフォーカス用カム溝に嵌入されている。この結果、フォーカスリング１４を回動操作すると、カムピンとフォーカス用直進溝とフォーカス用カム溝の作用により、フォーカスレンズ２４が光軸Ｌに沿って前後移動する。そして、このフォーカスレンズ２４が光軸Ｌに沿って前後移動することにより、監視カメラ用レンズ装置１０の合焦位置が変化する。
【００３２】
ズームレンズ２８は、ズームレンズ枠３２に保持されて、第２鏡筒本体１２−２内を光軸Ｌに沿って前後移動自在に設けられている。このズームレンズ２８を保持するズームレンズ枠３２には、外周面上に図示しない３本のカムピンが径方向に突出して設けられている。３本のカムピンは、同一円周上に等間隔に配置されており、それぞれ第２鏡筒本体１２−２の周面に光軸Ｌと平行に形成された図示しない３本の直進溝に嵌入されるとともに、ズームリング１６の内周部に形成された図示しない３本のズーム用カム溝に個別に嵌入されている。この結果、ズームリング１６を回動操作すると、カムピンとズーム用直進溝とズーム用カム溝の作用により、ズームレンズ２８が光軸Ｌに沿って前後移動する。そして、このズームレンズ２８が光軸Ｌに沿って前後移動することにより、監視カメラ用レンズ装置１０の焦点距離が変化する。
【００３３】
アイリスユニット２６は、板状に形成されており、第２鏡筒本体１２−２の所定位置に図示しないビスでネジ止めされて取り付けられている。このアイリスユニット２６は、図示しないアイリスを備えており、アイリスは、アイリスメータ３４に駆動されて作動する。アイリスは、アイリスユニット２６が第１鏡筒本体１２−１に取り付けられると、その中心が光軸Ｌ上に位置するように配置される。
【００３４】
［ロック機構］
上記のように、フォーカスリング１４とズームリング１６には、それぞれロック機構が設けられており、任意の位置で固定できるようにされている。
【００３５】
まず、ズームリング１６のロック機構について説明する。図２に示すように、ズームリング１６の外周に配設されたズームリング化粧筒１８には、ロックツマミ５０が螺合されるネジ孔１８Ａが形成されている。ロックツマミ５０を回転してねじ込むと、ロックツマミ５０の先端がズームリング１６の外周に当接することで、ズームリング１６がロックされる。なお、図１、２においては、ロックツマミ５０及びネジ孔１８Ａは1個ずつ設けられているが、ロックツマミ５０及びネジ孔１８Ａを複数箇所、例えば上下２箇所や１２０°おきに３箇所設けてもよい。
【００３６】
次に、フォーカスリング１４のロック機能について説明する。図３は、図２におけるフォーカスリング１４のロック機構の部分を拡大した図であり、図４は、フォーカスリング１４のロック機構をフォーカスレンズ２４側（図２左側）から見た図である。
【００３７】
フォーカスリング１４の外周部には、ブレーキリング４２が設けられている。
【００３８】
ブレーキリング４２（リング部材）は、図５に示すように筒型の部材であり、光軸方向に沿って見たときの形状が小判形状の孔４２Ａが形成される。孔４２Ａは、対抗する直線間の距離がフォーカスリング１４の外周の直径より数百分の１ミリ程度大きいすきまばめの関係となるように形成される。ブレーキリング４２は、弾性変形が可能な材料、例えば金属、プラスチック、ゴム等の様々な材料で形成可能である。ただし、材料に応じて加工精度が変わり、金属の場合には高い加工精度が要求される。
【００３９】
ブレーキリング４２には、光軸Ｌと直交方向に貫通するネジ孔４２Ｂが形成される。ネジ孔４２Ｂには、ロックツマミ４６（ロック操作部材）が螺合される。したがって、ロックツマミ４６は、ブレーキリング４２から光軸Ｌと直交方向に突出するように設けられる。また、ブレーキリング４２の端面には、回り止めの溝４２Ｃが形成される。
【００４０】
図６に示すように、ロックツマミ４６は、ネジ孔４２Ｂと螺合するネジ部４６Ａと、ネジ部４６Ａより細い先端部４６Ｂを有し、先端部４６ＢにはＥリング４７が挿入可能な凹部４６Ｃが形成される。
【００４１】
図４に示すように、ブレーキリング４２の孔４２Ａのフォーカスリング１４の外周と接していない円弧部分と、フォーカスリング１４との間には、ブレーキ部材４０（固定部材）が設けられる。
【００４２】
図６はブレーキ部材４０の斜視図であり、図７はブレーキ部材４０の断面図である。ブレーキ部材４０は、フォーカスリング１４と略同一の曲率で湾曲した板状の部材である。
【００４３】
ブレーキ部材４０のフォーカスリング１４に対向する側の面（内周面）には、図６に示すように、Ｅリング４７を入れるための略Ｕ字形状の溝４０Ａが形成される。また、ブレーキ部材４０の略中央には、ロックツマミ４６の先端が貫通する孔４０Ｃが形成される。溝４０Ａは一端がブレーキ部材４０の端面につながっているため、ブレーキ部材４０をフォーカスリング１４に沿って孔４２Ａに挿入し、ロックツマミ４６を孔４０Ｃに挿入した後、溝４０Ａのブレーキ部材４０の端面につながっている側（図３左側）からロックツマミ４６の凹部４６ＣにＥリング４７をはめることができる。これにより、ブレーキ部材４０が、Ｅリング４７によってロックツマミ４６と一体化される。
【００４４】
図７に示すように、ブレーキ部材４０の外周面には、ネジ部４６Ａの先端部４６Ｂ側の端面が当接可能なように溝４０Ｂが形成される。また、ブレーキ部材４０の端面には、回り止めの溝４０Ｄが形成される。
【００４５】
図４に示すように、ブレーキ部材４０の長手方向は、光軸Ｌと直交する方向に沿って、すなわちフォーカスリング１４の周方向に沿って設けられる。
【００４６】
第１鏡筒本体１２−１には、ロックツマミ４６が貫通される孔１２Ａが形成された突出部１２Ｂが形成される（支持機構）。また、第１鏡筒本体１２−１には、回り止めのリブ１２Ｃが形成される。このリブ１２Ｃが溝４０Ｄ及び溝４２Ｃ内に挿入されることにより、ブレーキ部材４０及びブレーキリング４２が、第１鏡筒本体１２−１に対して、リブ１２Ｃの形成された方向、すなわち図２の上下方向にのみ移動可能となる（支持機構）。
【００４７】
このように構成されたロック機構を用いてフォーカスリング１４をロックする方法について説明する。図４に示すように、ロックツマミ４６を回転してフォーカスリング１４に対してロックツマミ４６をねじ込むと、ロックツマミ４６と一体化されたブレーキ部材４０がフォーカスリング１４に対して近づく方向に移動する。回り止めのリブ１２Ｃ及び溝４０Ｄが図２上下方向に設けられているため、ブレーキ部材４０は図２下方向（図４下方向）に移動する。その結果、ブレーキ部材４０がフォーカスリング１４に当接する。ブレーキ部材４０は、フォーカスリング１４と略同一の曲率で湾曲しているため、ブレーキ部材４０の内周面全体がフォーカスリング１４に接触する。なお、フォーカスリング１４にかかる荷重をより分散させてフォーカスリング１４の変形を防止するには、ブレーキ部材４０の長手方向の長さをより長くして長手方向をフォーカスリング１４の周方向に沿って設けることが望ましい。
【００４８】
また、ロックツマミ４６を回転してフォーカスリング１４に対してロックツマミ４６をねじ込むと、ブレーキリング４２がブレーキ部材４０と反対方向（図４上方向）に移動する。回り止めのリブ１２Ｃ及び溝４２Ｃが図２上下方向に設けられているため、ブレーキリング４２は図２上方向（図４上方向）に移動する。その結果、ブレーキリング４２の内周がフォーカスリング１４に接触する。なお、ブレーキリング４２とフォーカスリング１４はすきまばめの関係であるため、ブレーキリング４２が移動するときに負荷はかからない。
【００４９】
このようにロックツマミ４６を回転してフォーカスリング１４に対してロックツマミ４６をねじ込むと、図４上下方向からブレーキ部材４０及びブレーキリング４２がフォーカスリング１４を押さえつけることで、ブレーキ部材４０及びブレーキリング４２と第１鏡筒本体１２−１とによりフォーカスリング１４が回動不能に締め付けられる。すなわち、フォーカスリング１４がロック（固定）される。
【００５０】
［動作］
上記のように、本実施の形態の監視カメラ用レンズ装置１０では、フォーカスリング１４を回動操作することによりフォーカシングが行われ、ズームリング１６を回動操作することによりズーミングが行われる。
【００５１】
ズーミングする場合において、ズームリング１６がロックされている場合は、ロックツマミ５０を回転操作し、ロックツマミ５０の先端をズームリング１６から離して、ズームリング１６のロックを解除する。この状態でズームリング１６を回動操作し、所望の焦点距離に設定する。
【００５２】
所望の焦点距離に設定されたら、ロックツマミ５０を回転操作し、ロックツマミ５０の先端をズームリング１６に当接させて、ズームリング１６をロックする。これによりズームリング１６が回転できなくなる。
【００５３】
一方、フォーカシングする場合において、フォーカスリング１４がロックされている場合は、フォーカスリング１４のロックを解除する。具体的には、図２におけるロック状態からロックツマミ４６を回転させ、ブレーキ部材４０を図２上方向へ移動させ、かつブレーキリング４２を図２下方向へ移動させる。これにより、図９に示すように、ブレーキ部材４０及びブレーキリング４２がフォーカスリング１４の外周面から離間され、フォーカスリング１４のロックが解除される。この状態でフォーカスリング化粧部４４、すなわちフォーカスリング１４を回動操作し、所望の合焦位置に設定する。
【００５４】
所望の合焦位置に設定されたら、ロックツマミ４６を回転操作し、フォーカスリング１４をロックする。すなわち、フォーカスリング１４のロックを解除したときとは逆方向にロックツマミ４６を回転させ、ブレーキ部材４０を図９下方向へ移動させ、かつブレーキリング４２を図９上方向へ移動させる。これにより、ブレーキ部材４０及びブレーキリング４２がフォーカスリング１４の外周面に当接され、ズームリング１６の回転がロックされる。
【００５５】
本実施の形態によれば、フォーカスリング１４に２つの方向から均等な力が加わってロックされる。したがって、フォーカスリング１４に一箇所から過度の荷重が加わることなく、フォーカスリング１４や鏡筒本体１２を変形させずにフォーカスリング１４、ズームリング１６をロックすることができる。
【００５６】
また、本実施の形態によれば、ブレーキ部材４０とフォーカスリング１４とは面で接触する。さらに、ブレーキリング４２は弾性部材で形成されているため、ブレーキリング４２とフォーカスリング１４とは面で接触する。したがって、上下２方向からフォーカスリング１４に加わる荷重のそれぞれについて、荷重が一箇所に集中しない。そのため、光学系に偏芯や倒れを生じさせることなく、確実にフォーカスリング１４をロックすることができる。
【００５７】
また、ロックツマミ４６は、従来のロックツマミと同様、フォーカスリング１４の法線方向に突出するように設けられるため、ユーザが容易にロック操作することができる。
【００５８】
なお、本実施の形態では、回り止めとして第１鏡筒本体１２−１にはリブ１２Ｃが形成され、ブレーキ部材４０には溝４０Ｄが形成され、ブレーキリング４２には溝４２Ｃが形成されるが、ロックツマミ４６は、孔１２Ａ及びネジ孔４２Ｂを貫通した上でブレーキ部材４０と一体形成されており、回り止めの機能を果たすことができるため、リブ１２Ｃ、孔１２Ａ及びネジ孔４２Ｂは必須の構成ではない。
【００５９】
また、本実施の形態では、ブレーキリング４２を弾性部材で形成することで、ブレーキリング４２とフォーカスリング１４とを面で接触させたが、ブレーキリングの円弧の頂部近傍の曲率をフォーカスリングの外周の曲率と略同じとなるように形成することで、ブレーキリングとフォーカスリングとを面で接触させてもよい。また、ブレーキリングを弾性部材で形成した場合においても、ブレーキリングの円弧の頂部近傍の曲率をフォーカスリングの外周の曲率と略同じとなるように形成してもよい。
【００６０】
また、本実施の形態では、ロックツマミ４６にネジが形成され、かつブレーキリング４２にネジ孔４２Ｂが形成されることで、ロックツマミ４６と反対方向にブレーキリング４２が移動したが、ロックツマミ４６と反対方向にブレーキリング４２を移動させる方法はこれに限られない。例えば、ロックツマミ４６のネジ１６Ａの代わりに、図１０に記載のようなカム５１Ａが形成されたロックツマミ５１を設けてもよい。ロックツマミ５１を回転させると、カム５１Ａの当接位置に応じてブレーキ部材４０及びブレーキリング４２を逆方向に上下動させることができる。
【００６１】
＜変形例１＞
本実施の形態では、第１鏡筒本体１２−１には、ロックツマミ４６が貫通可能な孔１２Ａが形成された突出部１２Ｂを形成したが、第１鏡筒本体１２−１にロックツマミ４６が螺合されるネジ孔を形成してもよい。
【００６２】
図１１は、第１鏡筒本体１２−１’ （固定筒）にロックツマミが螺合されるネジ孔を形成した変形例である。なお、本実施の形態と同一の部分については、同一の符号を付し、説明を省略する。
【００６３】
第１鏡筒本体１２−１’の突出部１２Ｂにはネジ孔１２Ｄが形成される。ネジ孔１２Ｄのネジの方向は、ネジ孔４２Ｂのネジの方向と逆である。本実施の形態では、ネジ孔４２Ｂに右ネジを適用しているため、ネジ孔１２Ｄは左ネジである。
【００６４】
ロックツマミ５２（ロックツマミ）は、ネジ孔４２Ｂと螺合するネジ部５２Ａと、ネジ孔１２Ｄと螺合するネジ部５２Ｂと、ネジ部５２Ａ、５２Ｂより細くブレーキ部材４０と一体化するための先端部５２Ｃとを有する。ネジ孔４２Ｂが右ネジであるため、ネジ部５２Ａは右ネジであり、ネジ孔１２Ｄが左ネジであるため、ネジ部５２Ｂは左ネジである。
【００６５】
ロックツマミ５２を右回りに回転させると、ロックツマミ５２が第１鏡筒本体１２−１’に対してネジこまれる方向（図１１下向き）に移動する。その結果、ブレーキ部材４０がロックツマミ５２と同方向（図１１下向き）に移動し、ブレーキリング４２とロックツマミ５２の移動方向と逆方向（図１１上向き）に移動する。その結果、図１１上下方向からブレーキ部材４０及びブレーキリング４２がフォーカスリング１４を押さえつけることで、フォーカスリング１４がロック（固定）される。
【００６６】
＜変形例２＞
本実施の形態では、ブレーキ部材４０及びブレーキリング４２を、それぞれフォーカスリング１４に面で当接させることでフォーカスリング１４をロックするが、ブレーキ部材４０及びブレーキリング４２がフォーカスリング１４に面で当接しなくてもフォーカスリング１４をロック可能である。
【００６７】
また、ロックツマミ４６を強く締めすぎた場合や経時変化により、ブレーキ部材４０の長手方向が変形して反ってしまった場合には、ブレーキ部材４０とフォーカスリング１４とが面でなく、２本の線（断面で見ると２点）で接触してしまう場合も考えられる。また、ブレーキリング４２を金属等ほとんど変形できない材料で形成した場合にも、ブレーキリング４２とフォーカスリング１４とが面でなく、１本の線（断面で見ると１点）で接触してしまう場合も考えられる。
【００６８】
図１２は、ブレーキ部材４０及びブレーキリング４２が、それぞれフォーカスリング１４に複数の点で当接する変形例である。なお、本実施の形態と同一の部分については、同一の符号を付し、説明を省略する。
【００６９】
ブレーキ部材５４（固定部材）は、フォーカスリング１４と略同一の曲率で湾曲した板状の部材である。ブレーキ部材５４は、Ｅリング４７によってロックツマミ４６と一体化されており、フォーカスリング１４の外周と接していない円弧部分とフォーカスリング１４との間に、長手方向が光軸Ｌと直交する方向に沿って設けられる。
【００７０】
ブレーキ部材５４の略中央にはロックツマミ４６が貫通する孔５４Ａが形成される。ブレーキ部材５４のフォーカスリング１４に対向する側の面には、Ｅリング４７を入れるための略Ｕ字形状の溝５４Ｂが形成される。さらに、ブレーキ部材５４のフォーカスリング１４に対向する側の面には、両端近傍に凸部５４Ｃ（第１の凸部）が形成される。２個の凸部５４Ｃ同士の間隔はできるだけ遠い方が望ましく、本実施の形態では２個の凸部５４Ｃ同士の間隔は９０度である。なお、凸部５４Ｃは、光軸方向に沿ったリブであることが望ましい。
【００７１】
ブレーキリング５６（リング部材）は、小判形状の孔５６Ａが形成された筒型の部材である。孔５６Ａは、また対抗する直線間の距離はフォーカスリング１４の外周の直径より数百分の１ミリ程度大きいすきまばめの関係となるように形成される。ブレーキリング５６は、弾性変形が可能な材料、例えば金属、プラスチック、ゴム等の様々な材料で形成可能である。ただし、材料に応じて加工精度が変わり、金属の場合には高い加工精度が要求される。ブレーキリング５６には、ロックツマミ４６が螺合されるネジ孔５６Ｂが形成される。
【００７２】
さらにブレーキリング５６には、凸部５６Ｃ（第２の凸部）が２箇所形成される。凸部５６Ｃは、凸部５４Ｃと同様、光軸方向に沿ったリブであることが望ましい。２個の凸部５６Ｃは、凸部５４Ｃと光軸Ｌを通る直線上に、凸部５４Ｃと対向して設けられる。したがって、２個の凸部５４Ｃ同士の間隔は９０度である。また、凸部５４Ｃと凸部５６Ｃの間隔も９０度である。
【００７３】
なお、凸部５４Ｃ及び凸部５６Ｃは、先端がフォーカスリング１４の外周面と略同一の曲率の線上に位置する大きさで形成される、すなわち凸部５４Ｃの先端を結ぶ線はフォーカスリング１４の外周面と略同一の曲率であり、凸部５６Ｃの先端を結ぶ線はフォーカスリング１４の外周面と略同一の曲率であることが望ましい。
【００７４】
ロックツマミ４６を回転してフォーカスリング１４に対してロックツマミ４６をねじ込むと、ロックツマミ４６と一体化されたブレーキ部材５４がフォーカスリング１４に対して近づく方向に移動する。ロックツマミ４６は孔１２Ａを貫通しているため、ブレーキ部材５４は図１２下方向へ移動する。その結果、ブレーキ部材５４の凸部５４Ｃがフォーカスリング１４に当接する。
【００７５】
また、ロックツマミ４６を回転してフォーカスリング１４に対してロックツマミ４６をねじ込むと、ブレーキリング５６がブレーキ部材４０と反対方向（図４上方向）に移動する。ロックツマミ４６は孔１２Ａを貫通しているため、ブレーキリング５６は図１２上方向に移動する。その結果、ブレーキリング５６の凸部５６Ｃがフォーカスリング１４に当接する。なお、ブレーキリング５６とフォーカスリング１４はすきまばめの関係であるため、ブレーキリング５６が移動するときに負荷はかからない。
【００７６】
このようにロックツマミ４６を回転してフォーカスリング１４に対してロックツマミ４６をねじ込むと、図１２上下方向からブレーキ部材５４の凸部５４Ｃ及びブレーキリング５６の凸部５６Ｃがフォーカスリング１４を押さえつけることで、フォーカスリング１４が回転不能に締め付けられてロック（固定）される。
【００７７】
このように、ブレーキリング及びブレーキ部材に凸部を形成することで、ブレーキリング及びブレーキ部材をフォーカスリングに凸部で当接させることができる。したがって、凸部を９０°おきに設けることで、フォーカスリングに均等な間隔で力を付与することができる。
【００７８】
また、凸部５４Ｃ及び凸部５６Ｃの先端がフォーカスリング１４の外周面と略同一の曲率の線上に位置する大きさで形成された場合には、凸部５４Ｃ及び凸部５６Ｃが略同時にフォーカスリング１４に当接し、かつ凸部５４Ｃ及び凸部５６Ｃが略同じ強さの力でフォーカスリング１４に押しつけられる。したがって、力を分散させて鏡筒の変形を防ぐという効果をより高くすることができる。
【００７９】
なお、本変形例では、凸部５４Ｃ及び凸部５６Ｃは９０°おきに形成されたが、凸部５４Ｃ同士の間隔、凸部５６Ｃの間隔及び凸部５４Ｃと凸部５６Ｃとの間隔は９０°に限定されない。また、凸部５４Ｃ、凸部５６Ｃは、２個に限らず、３個、４個等でもよい。また、凸部５４Ｃ及び凸部５６Ｃは、両方必須ではなく、凸部５４Ｃだけでもよいし、凸部５６Ｃだけでもよい。
【００８０】
なお、上記実施の形態では、フォーカスリング１４に本発明に係るロック機構を適用したが、本発明はフォーカスリングのみでなく、レンズ装置の全ての操作リング（例えばズームリング）に適用可能である。
【符号の説明】
【００８１】
１０：監視カメラ用レンズ装置、１２：鏡筒本体、１２Ａ：孔、１２Ｂ：突出部、１２Ｃ：リブ、１２Ｄ：ネジ孔、１４：フォーカスリング、１６：ズームリング、１６Ａ：ネジ、１８：ズームリング化粧部、１８：ズームリング化粧筒、１８Ａ：ネジ孔、２２：マウント環、２４：フォーカスレンズ、２６：アイリスユニット、２８：ズームレンズ、３０：フォーカスレンズ枠、３２：ズームレンズ枠、３４：アイリスメータ、４０：ブレーキ部材、４０Ａ：溝、４０Ｂ：溝、４０Ｃ：孔、４０Ｄ：溝、４２：ブレーキリング、４２Ａ：孔、４２Ｂ：ネジ孔、４２Ｃ：溝、４４：フォーカスリング化粧部、４６：ロックツマミ、４６Ａ：ネジ部、４６Ｂ：先端部、４７：Ｅリング、５０：ロックツマミ、５１：ロックツマミ、５１Ａ：カム、５２：ロックツマミ、５２Ａ：ネジ部、５２Ｂ：ネジ部、５２Ｃ：先端部、５４：ブレーキリング、５４：ブレーキ部材、５４Ａ：孔、５４Ｂ：溝、５４Ｃ：凸部、５６：ブレーキリング、５６Ａ：孔、５６Ｂ：ネジ孔、５６Ｃ：凸部、Ｌ：光軸
【図１】
2013121832.tif 000003
【図２】
2013121832.tif 000004
【図３】
2013121832.tif 000005
【図４】
2013121832.tif 000006
【図５】
2013121832.tif 000007
【図６】
2013121832.tif 000008
【図７】
2013121832.tif 000009
【図８】
2013121832.tif 000010
【図９】
2013121832.tif 000011
【図１０】
2013121832.tif 000012
【図１１】
2013121832.tif 000013
【図１２】
2013121832.tif 000014
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
鏡筒本体に移動可能に支持された移動レンズと、
前記鏡筒本体に対して回動自在に設けられ、回動操作により前記移動レンズを光軸方向に移動させる操作リングと、
前記操作リングの外周に設けられた略円筒形のリング部材と、
前記操作リングと前記リング部材との間に設けられた固定部材と、
前記リング部材と前記固定部材との間に設けられたロック操作部材であって、回転することにより前記ロック操作部材と一体化した前記固定部材を前記リング部材に当接させ、さらに回転することにより前記リング部材と前記固定部材とを互いに反対方向に移動させるロック操作部材と、
前記リング部材及び前記ロック操作部材のうちの少なくとも一方を、前記移動レンズの光軸と直交する方向にのみ移動可能に支持する支持機構と、
を備え、
前記ロック操作部材を回転させることにより、前記リング部材と前記固定部材とを互いに反対方向に移動させて前記操作リングを回動不能に締め付ける監視カメラ用レンズ装置。
【請求項２】
前記固定部材は、前記操作リングと接する面が前記操作リングと略同一の曲率に湾曲した部材である請求項１に記載の監視カメラ用レンズ装置。
【請求項３】
前記固定部材には、前記操作リングに接する第１の凸部が、その先端が前記操作リングの外周面と略同一の曲率の線上に位置する大きさで形成される請求項１又は２に記載の監視カメラ用レンズ装置。
【請求項４】
前記第１の凸部は、略９０°おきに形成される請求項３に記載の監視カメラ用レンズ装置。
【請求項５】
前記リング部材には、前記第１の凸部と対向する位置に第２の凸部が形成された請求項３に記載の監視カメラ用レンズ装置。
【請求項６】
前記鏡筒本体には、前記移動レンズの光軸と直交する方向の孔が形成され、
前記ロック操作部材が前記孔に貫通されることで前記支持機構が構成される請求項１から５のいずれかに記載の監視カメラ用レンズ装置。
【請求項７】
前記鏡筒本体は、前記操作リングの内側に設けられる略円筒形の筒部と、前記リング部材の端面と当接するように形成されたフランジ部とを有し、
前記フランジ部及び前記リング部材の互いに当接する面には、前記移動レンズの光軸と直交する方向の凸部及び当該凸部と係合する溝が前記支持機構として形成される請求項１から５のいずれかに記載の監視カメラ用レンズ装置。
【手続補正書】
【提出日】平成26年10月16日(2014.10.16)
【手続補正１】
【補正対象書類名】特許請求の範囲
【補正対象項目名】請求項１
【補正方法】変更
【補正の内容】
【請求項１】
鏡筒本体に移動可能に支持された移動レンズと、
前記鏡筒本体に対して回動自在に設けられ、回動操作により前記移動レンズを光軸方向に移動させる操作リングと、
前記操作リングの外周に設けられた略円筒形のリング部材と、
前記操作リングと前記リング部材との間に設けられた固定部材と、
前記リング部材と前記固定部材との間に設けられたロック操作部材であって、回転することにより前記ロック操作部材と一体化した前記固定部材を前記操作リングに当接させ、さらに回転することにより前記リング部材と前記固定部材とを互いに反対方向に移動させるロック操作部材と、
前記リング部材及び前記ロック操作部材のうちの少なくとも一方を、前記移動レンズの光軸と直交する方向にのみ移動可能に支持する支持機構と、
を備え、
前記ロック操作部材を回転させることにより、前記リング部材と前記固定部材とを互いに反対方向に移動させて前記操作リングを回動不能に締め付ける監視カメラ用レンズ装置。
【国際調査報告】
2013121832.tif 000015
2013121832.tif 000016